(57)【要約】【課題】導体を覆う絶縁チューブのずれを防止し、接続対象を簡便に挟持することのできる被覆付き接続クリップを提供する。【解決手段】被覆付き接続クリップは、バネを掛け渡して軸止めし、挟持部２ａ・２ｂと握り部７ａ・７ｂとを備えた２片の導体８ａ・８ｂのうち、少なくとも一方の導体８ｂにリード線６が接続され、２片の導体８ａ・８ｂとも握り部７ａ・７ｂから挟持部２ａ・２ｂの中ほどにある滑り止め突起１まで絶縁チューブ４で覆われている。【選択図】図１
2008135205.tif 000002
【特許請求の範囲】
【請求項１】
バネを掛け渡して軸止めし、挟持部と握り部とを備えた２片の導体のうち、少なくとも一方の導体にリード線が接続され、２片の導体とも握り部から挟持部の中ほどにある滑り止め突起まで絶縁チューブで覆われていることを特徴とする被覆付き接続クリップ。
【請求項２】
２片の導体の少なくとも一方に滑り止め突起を備えていることを特徴とする請求項１に記載の被覆付き接続クリップ。
【請求項３】
該滑り止め突起が、導体の一部の切り込み返しであることを特徴とする請求項１に記載の被覆付き接続クリップ。
【請求項４】
該滑り止め突起が、導体の一部の突き出しであることを特徴とする請求項１に記載の被覆付き接続クリップ。
【発明の詳細な説明】
【技術分野】
【０００１】
本発明は、各種電気機器の接点や突起した導通露出部に電気的接続を行うために使用する被覆付き接続クリップに関するものである。
【背景技術】
【０００２】
電力の供給や電子回路の測定等の一時的な電気の接続のために、いわゆるワニグチクリップや、これに絶縁被覆を施したミノムシクリップと呼ばれる被覆付き接続クリップが広く使用されている。
【０００３】
従来のミノムシクリップ（被覆付き接続クリップ）は、例えば、図４に示すように、２つの金属片が軸支持されており、挟持部２ａ・２ｂ以外が絶縁チューブ４で被覆されている。握り部を操作することで、挟持部を開き、接続対象を導入し、電源からリード線６を介して接続対象に電力供給等を行う。
【０００４】
このような被覆付き接続クリップでは、図５に示すように、握り操作中等に絶縁チューブ４が先窄まりの方向にずれる。そのため、絶縁チューブ４の口が邪魔をして挟持部２ａ・２ｂの開閉が困難になる。したがって、接続対象をうまく挟むことができない。ずれた絶縁チューブ４を正しい位置に直すには、小さく、滑りやすいクリップを掴まなければならず、非常に面倒である。また、その際には、電気的な接触を避けるためにリード線に繋がる電気機器の電源を落とさなければならない。
【０００５】
【特許文献１】実登３０３０１１４号公報
【発明の開示】
【発明が解決しようとする課題】
【０００６】
本発明は前記の課題を解決するためになされたもので、導体を覆う絶縁チューブのずれを防止し、接続対象を簡便に挟持することのできる被覆付き接続クリップを提供することを目的とする。
【課題を解決するための手段】
【０００７】
前記の目的を達成するためになされた、特許請求の範囲の請求項１に記載された被覆付き接続クリップは、バネを掛け渡して軸止めし、挟持部と握り部とを備えた２片の導体のうち、少なくとも一方の導体にリード線が接続され、２片の導体とも握り部から挟持部の中ほどにある滑り止め突起まで絶縁チューブで覆われていることを特徴とする。
【０００８】
また、特許請求の範囲の請求項２に記載された被覆付き接続クリップは、請求項１に記載されたもので、２片の導体の少なくとも一方に滑り止め突起を備えていることを特徴とする。
【０００９】
特許請求の範囲の請求項３に記載された被覆付き接続クリップは、請求項１に記載されたもので、該滑り止め突起が、導体の一部の切り込み返しであることを特徴とする。
【００１０】
特許請求の範囲の請求項４に記載された被覆付き接続クリップは、請求項１に記載されたもので、該滑り止め突起が、導体の一部の突き出しであることを特徴とする。
【発明の効果】
【００１１】
本発明の被覆付き接続クリップによれば、挟持部に備えられた滑り止め突起が導体部分を覆っている絶縁チューブのずれを抑止するので、挟持部が常に露出し、開閉可能であるため、確実に接続対象に電気的接続を行うことができる。
【発明を実施するための好ましい形態】
【００１２】
以下、本発明を実施するための好ましい形態を、図面を参照して詳細に説明する。しかし、本発明の範囲はこれらの実施形態に限定されるものではない。
【００１３】
本発明を適用する被覆付き接続クリップの一実施形態は、図１、図２に示してある。図１に示すように被覆付き接続クリップは、２つの金属片８ａ・８ｂと絶縁チューブ４からなる。２つの金属片８ａ・８ｂは、回動軸５によって軸支持されている（図２参照）。回動軸５には、バネが備えられ、握り部７ａ・７ｂと係合している。また、２つの金属片８ａ・８ｂは、挟持部２ａ・２ｂに鋸歯状突起３を有し、互いに咬合している。握り部７ｂの内側には、リード線６が半田により接続されている。挟持部２ａ・２ｂ以外の金属片８ａ・８ｂ及びリード線６の一部は、絶縁チューブ４に覆われている。挟持部２ａは、切り込み返し１を備えており、絶縁チューブ４を支えている。
【００１４】
この被覆付き接続クリップは、以下のようにして使用される。絶縁チューブ４の上から握り部７ａ・７ｂをつまみ、挟持部２ａ・２ｂを開く。挟持部２ａ・２ｂの間に接続対象の導線を入れ、挟持部２ａ・２ｂを閉じて導線を挟み、接続する。そのため、被覆付き接続クリップが咬えている接続対象の電圧等を、リード線６が繋がる測定機器で接続される。
【００１５】
この被覆付き接続クリップは、以下のように製造される。
【００１６】
プレス加工により、図２に示すように、金属片８ｂ及び切り込み返し１を備えた金属片８ａを得る。２つの金属片８ａ・８ｂに捩りバネ（不図示）を掛け渡して回動軸５で組み合わせる。リード線６を握り部７ｂの内側に半田で接続する。切り込み返し１を矢印の方向に立てる。握り部７ａ・７ｂから切り込み返し１の手前まで絶縁チューブ４を被せる。その結果、図１に示すような被覆付き接続クリップが製造される。
【００１７】
切り込み返しの長さは０．５ｍｍから２０ｍｍであることが好ましく、さらに好ましくは２ｍｍ〜５ｍｍである。切り込み返しの長さが０．５ｍｍよりも短いと折り曲げにくく、絶縁チューブにひっかかりにくい。また、切り込み返しの長さが２０ｍｍよりも長いと握る際に切り込み返しが手指に接触しやすいし、折れやすい。
【００１８】
図３に本発明を適用する別な被覆付き接続クリップを示す。滑り止め突起が突き出し１０である以外は図１と同様である。突き出し１０は、上記の切り込み返しと同様にプレス加工の際に得られる。
【００１９】
また、滑り止め突起は一つの挟持部に複数備えられていてもよい。
【産業上の利用可能性】
【００２０】
本発明を適用する被覆付き接続クリップは、滑り止め突起が金属片のプレス加工の段階で作られる。そのため、特別な装置等を必要とせず、従来どおりのコストを維持できる。
【図面の簡単な説明】
【００２１】
【図１】本発明を適用する被覆付き接続クリップの斜視図である。
【図２】本発明を適用する被覆付き接続クリップの製造途中の斜視図である。
【図３】本発明を適用する別な被覆付き接続クリップの斜視図である。
【図４】従来の被覆付き接続クリップの斜視図である。
【図５】従来の被覆付き接続クリップの斜視図である。
【符号の説明】
【００２２】
１は切り込み返し、２ａ・２ｂは挟持部、３は鋸歯状突起、４は絶縁チューブ、５は回動軸、６はリード線、７ａ・７ｂは握り部、８ａ・８ｂは金属片、１０は突き出しである。
【図１】
2008135205.tif 000003
【図２】
2008135205.tif 000004
【図３】
2008135205.tif 000005
【図４】
2008135205.tif 000006
【図５】
2008135205.tif 000007